(57)【要約】【課題】中古自動車の価格査定の学習を行う学習者を対象に、予め瑕疵を含んだ中古自動車の３Ｄ自動車画像情報より、その瑕疵を探し出して査定を行う学習支援システムを提供することを目的とする。【解決手段】学習端末装置からの指定条件に基づいて、該当する３Ｄ自動車画像情報を検索し、その３Ｄ自動車画像情報の所定の部分とその表示方法とを指定して画面上に表示する３Ｄ画像表示手段と、３Ｄ画像表示手段で表示した前記部分について、その査定結果を含む学習者査定情報を入力してデータベースに登録する学習者査定登録手段とを備えることを特徴とする。【選択図】　　　　　図１
2004125982.tif 000002
【特許請求の範囲】
【請求項１】
中古自動車の価格査定の学習を行う学習者側が備える学習端末装置に、通信ネットワークを介してシステム運営機関側が備える学習支援装置を接続することで、前記学習者の前記学習を支援するシステムであって、
前記学習支援装置は、前記中古自動車の外装と内装とを含む査定項目毎に瑕疵を含んだ３Ｄ自動車画像情報と、前記瑕疵の模範査定結果を含む模範査定情報とを少なくとも登録したデータベースと、
前記学習端末装置からの指定条件に基づいて、該当する前記３Ｄ自動車画像情報を検索し、その３Ｄ自動車画像情報の所定の部分とその表示方法とを指定して画面上に表示する３Ｄ画像表示手段と、
前記３Ｄ画像表示手段で表示した前記部分について、その査定結果を含む学習者査定情報を入力して前記データベースに登録する学習者査定登録手段とを少なくとも備えることを特徴とする、中古自動車の価格査定学習支援システム。
【請求項２】
前記３Ｄ画像表示手段は、前記部分の回転方向と回転範囲とを指定して画面上に表示する回転表示手段と、
前記部分を拡大、又は、縮小する大きさを指定して画面上に表示する拡大縮小表示手段とを含むことを特徴とする、請求項１に記載の中古自動車の価格査定学習支援システム。
【請求項３】
前記模範査定情報は、前記模範査定結果の模範査定結果説明を更に含み、前記学習者査定情報は、前記査定結果の査定結果説明を更に含み、前記学習者査定登録手段は、前記学習者査定登録手段で登録した前記学習者査定情報を前記模範査定情報に基づいて採点した採点結果を画面上に表示して、その採点結果を含む学習者成績情報を前記データベースに登録する学習自動採点手段と、
前記学習者査定登録手段で前記学習者査定情報が登録された際に、前記査定結果と前記模範査定結果とを照合し、その照合結果が異なる場合に、前記模範査定情報を画面上に更に表示する模範査定表示手段とを含むことを特徴とする、請求項１、又は、請求項２に記載の中古自動車の価格査定学習支援システム。
【請求項４】
前記データベースに登録されている情報は、前記中古自動車の型式、製造年、走行距離、及び、装備品に少なくとも分類された査定項目毎に、その基本査定結果を含む基本査定情報を更に含み、
前記学習支援装置は、前記学習端末装置からの指定した中古自動車に属する前記査定項目を画面上に表示し、その査定結果を含む学習者査定情報を入力して前記データベースに登録する学習者基本査定登録手段を更に備え、
前記学習自動採点手段は、前記学習者基本査定登録手段で登録した前記学習者基本査定情報を前記基本査定情報に基づいて採点し、その採点結果を画面上に更に表示することを更に備えることを特徴とする、請求項３に記載の中古自動車の価格査定学習支援システム。
【請求項５】
前記学習支援装置は、前記学習端末装置からの指定条件に基づいて、その学習者に属する前記学習者成績報を前記査定項目毎に前記データベースより検索する成績状況検索手段を更に備えることを特徴とする、請求項３、又は、請求項４に記載の中古自動車の価格査定学習支援システム。
【請求項６】
前記３Ｄ自動車画像情報と前記模範査定情報に含まれる前記瑕疵は、少なくとも、過去に実際に価格査定が行われた情報についての瑕疵を含むことを特徴とする、請求項１乃至請求項５の何れか１項に記載の中古自動車の価格査定学習支援システム。
【請求項７】
前記３Ｄ自動車画像情報と前記模範査定情報とは、前記査定項目毎に加えて、前記瑕疵の程度毎に登録されており、
前記３Ｄ画像表示手段は、前記瑕疵の程度が異なる複数の前記３Ｄ自動車画像情報の中から、所定の前記３Ｄ自動車画像情報を乱数を用いて選択して画面上に表示することを特徴とする、請求項１乃至請求項６の何れか１項に記載の中古自動車の価格査定学習支援システム。
【請求項８】
前記データベースは、前記中古自動車の査定を行う際の標準的な査定順序を含む査定順序情報を更に含み、
前記学習支援装置は、前記学習端末装置からの指定条件に基づいて、前記査定順序情報を検索し、前記査定順序に基づいて、前記学習者基本査定登録と手段前記３Ｄ画像表示手段とを実施する初級クラス学習手段を更に備えることを特徴とする、請求項１乃至請求項７の何れか１項に記載の中古自動車の価格査定学習支援システム。
【請求項９】
中古自動車の価格査定の学習に於いて、請求項１乃至請求項８の何れか１項に記載の中古自動車の価格査定学習支援システムに使用される記録媒体。
【発明の詳細な説明】
【０００１】
【発明の属する技術分野】
本発明は、中古自動車の価格査定を行う学習者の学習を支援するシステムに関するものである。
【０００２】
【従来の技術】
各自動車メーカーの新車発表に伴い、その買い換えユーザーが今迄に使用していた自動車は、その殆どが、カーディーラーを介して中古自動車市場へ流通されており、そのカーディーラー、及び、そのカーディーラーを利用する買い換えユーザーにとっても、適正な価格査定による中古自動車の下取り取引が望まれている。
【０００３】
しかしながら、カーディーラーに於いては、適正な価格査定を行う技術を保有する査定技術者は不足しており、その技術を取得する為には、価格査定の経験を数多く積み重ねるしか方法が無く、又、その査定技術者を養成する為の指導員不足の問題も抱えている。
【０００４】
又、類似システムとして、例えば、特開２０００−３３１０６８号に開示されている「中古自動車学習支援装置、中古自動車査定価格算出処理方法および可読記録媒体」は、誰でも適正車輌価格を容易に得ることができる効果を狙った評価項目と評価方法を主体した発明が記載されている。
【非特許文献１】
特開２０００−３３１０６８号公報（第１−２頁）
【０００５】
しかしながら、中古自動車の価格査定の際には、型式、製造年、走行距離、装備品、車検日等の基本的な査定項目の他に、外装や内装のキズは、見落とすことが多く、熟練した査定技術者が不足しているカーディーラーに於いては、前述の効果を期待することはできない要素を含んでいる。
【０００６】
【発明が解決しようとする課題】
以上のような問題を解決するために本発明では、中古自動車の適正な価格査定の学習を行う学習者を対象に、予め瑕疵を含んだ中古自動車の３Ｄ自動車画像情報より、その瑕疵を探し出して価格査定を行う学習支援システムを提供することを目的とする。
【０００７】
【課題を解決するための手段】
上記目的を達成するため、請求項１に記載の発明は、中古自動車の価格査定の学習を行う学習者側が備える学習端末装置に、通信ネットワークを介してシステム運営機関側が備える学習支援装置を接続することで、前記学習者の前記学習を支援するシステムであって、
前記学習支援装置が、前記中古自動車の外装と内装とを含む査定項目毎に瑕疵を含んだ３Ｄ自動車画像情報と、前記瑕疵の模範査定結果を含む模範査定情報とを少なくとも登録したデータベースと、
前記学習端末装置からの指定条件に基づいて、該当する前記３Ｄ自動車画像情報を検索し、その３Ｄ自動車画像情報の所定の部分とその表示方法とを指定して画面上に表示する３Ｄ画像表示手段と、
前記３Ｄ画像表示手段で表示した前記部分について、その査定結果を含む学習者査定情報を入力して前記データベースに登録する学習者査定登録手段とを少なくとも備えることを特徴とする。
【０００８】
この請求項１に記載の発明により、学習者は、中古自動車の価格査定の学習に於いて、外装と内装に瑕疵が設定された３Ｄ画像とその瑕疵の模範査定結果を利用した学習方法によって、熟練した査定指導員にマンツーマンで指導を受けているのと同等な価格査定学習を受けることができる。
【０００９】
請求項２に記載の発明は、前記３Ｄ画像表示手段が、前記部分の回転方向と回転範囲とを指定して画面上に表示する回転表示手段と、
前記部分を拡大、又は、縮小する大きさを指定して画面上に表示する拡大縮小表示手段とを含むことを特徴とする。
【００１０】
この請求項２に記載の発明により、学習者は、中古自動車の価格査定の学習に於いて、外装や内装のあらゆる部分を拡大して表示することによって、その瑕疵を容易に探し出すことができる。
【００１１】
請求項３に記載の発明は、前記模範査定情報が、前記模範査定結果の模範査定結果説明を更に含み、前記学習者査定情報は、前記査定結果の査定結果説明を更に含み、
前記学習者査定登録手段が、前記学習者査定登録手段で登録した前記学習者査定情報を前記模範査定情報に基づいて採点した採点結果を画面上に表示して、その採点結果を含む学習者成績情報を前記データベースに登録する学習自動採点手段と、
前記学習者査定登録手段で前記学習者査定情報が登録された際に、前記査定結果と前記模範査定結果とを照合し、その照合結果が異なる場合に、前記模範査定情報を画面上に更に表示する模範査定表示手段とを含むことを特徴とする。
【００１２】
この請求項３に記載の発明により、学習者は、中古自動車の価格査定の学習に於いて、査定結果の入力後にその査定結果の採点結果を即時に取得することができ、又、その査定結果と模範査定結果が一致しない場合に、自己の査定結果説明と模範査定結果説明を比較することによって、その原因をその場で即時に確認することができる。
【００１３】
請求項４に記載の発明は、前記データベースに登録されている情報が、前記中古自動車の型式、製造年、走行距離、及び、装備品に少なくとも分類された査定項目毎に、その基本査定結果を含む基本査定情報を更に含み、
前記学習支援装置が、前記学習端末装置からの指定した中古自動車に属する前記査定項目を画面上に表示し、その査定結果を含む学習者査定情報を入力して前記データベースに登録する学習者基本査定登録手段を更に備え、
前記学習自動採点手段が、前記学習者基本査定登録手段で登録した前記学習者基本査定情報を前記基本査定情報に基づいて採点し、その採点結果を画面上に更に表示することを更に備えることを特徴とする。
【００１４】
この請求項４に記載の発明により、学習者は、中古自動車の価格査定の学習に於いて、外装や内装の査定項目に加えて、型式、製造年、走行距離、装備品等の基本的な査定項目に対する価格査定を学習することによって、中古自動車の車輌全体の価格査定を学習することができる。
【００１５】
請求項５に記載の発明は、前記学習支援装置が、前記学習端末装置からの指定条件に基づいて、その学習者に属する前記学習者成績報を前記査定項目毎に前記データベースより検索する成績状況検索手段を更に備えることを特徴とする。
【００１６】
この請求項５に記載の発明により、学習者は、中古自動車の価格査定の学習に於いて、苦手とする査定項目の調査に利用することができる。
【００１７】
請求項６に記載の発明は、前記３Ｄ自動車画像情報と前記模範査定情報に含まれる前記瑕疵が、少なくとも、過去に実際に価格査定が行われた情報についての瑕疵を含むことを特徴とする。
【００１８】
この請求項６に記載の発明により、学習者は、中古自動車の価格査定の学習に於いて、過去に実際に価格査定が行われたユーザーの中古自動車に基づいた３Ｄ自動車画像情報と模範査定情報を教材として利用することによって、実践に基づいた学習を行うことができる。
【００１９】
請求項７に記載の発明は、前記３Ｄ自動車画像情報と前記模範査定情報とが、前記査定項目毎に加えて、前記瑕疵の程度毎に登録されており、
前記３Ｄ画像表示手段が、前記瑕疵の程度が異なる複数の前記３Ｄ自動車画像情報の中から、所定の前記３Ｄ自動車画像情報を乱数を用いて選択して画面上に表示することを特徴とする。
【００２０】
この請求項７に記載の発明により、学習者は、中古自動車の価格査定の学習に於いて、同一査定項目について繰り返して学習を行っても、瑕疵の程度が異なる学習を行うことができる。
【００２１】
請求項８に記載の発明は、前記データベースが、前記中古自動車の査定を行う際の標準的な査定順序を含む査定順序情報を更に含み、
前記学習支援装置が、前記学習端末装置からの指定条件に基づいて、前記査定順序情報を検索し、前記査定順序に基づいて、前記学習者基本査定登録と手段前記３Ｄ画像表示手段とを実施する初級クラス学習手段を更に備えることを特徴とする。
【００２２】
この請求項８に記載の発明により、初級クラスの学習者は、中古自動車の価格査定の学習に於いて、標準的な査定順序に基づいて学習を行うことができる。
【００２３】
請求項９に記載の発明は、中古自動車の価格査定の学習に於いて、請求項１乃至請求項８の何れか１項に記載の中古自動車の価格査定学習支援システムに使用される記録媒体を特徴とする。
【００２４】
この請求項９に記載の発明により、学習者は、所有するパソコン等の端末装置に通信ネットワーク機能が搭載されていない場合、本発明の中古自動車の価格査定学習システムに使用される記録媒体より、データやプログラムをその端末装置にインストールして学習することができる。
【００２５】
【発明の実施の形態】
以下、本発明の一実施の形態を図に基づいて詳細に説明する。
図１は本発明の中古自動車の価格査定学習支援システムに於けるシステム構成を示す模式図である。
【００２６】
図１に示すように、中古自動車の価格査定学習支援システム１００は、中古自動車の価格査定の学習を行う学習者側が備えるパソコンなどの学習端末装置１と、この学習端末装置１とインターネット２を介して接続することで、中古自動車の価格査定の学習を支援するシステム運営機関が備える学習支援装置１０とから構成される。
【００２７】
学習支援装置１０は、中古自動車の価格査定の学習を支援するために必要な情報を登録するためのデータベース２０と、学習端末装置１からの検索要求を受信して、インターネット２を介してデータベース２０の検索結果を送信するＷｅｂサーバー１１と、データベース２０を管理するデータベースサーバー１２と、中古自動車の価格査定の学習支援業務に於ける業務処理を行うアプリケーションサーバー１３とから構成される。
【００２８】
データベース２０は、学習者テーブル２１、中古自動車テーブル２２、基本査定テーブル２３、３Ｄ自動車画像テーブル２４、模範査定テーブル２５、学習者査定テーブル２６、及び、査定順序テーブル２７とから構成される。
【００２９】
学習者テーブル２１は、中古自動車の価格査定の学習を行う学習者の登録情報を記録するものである。
学習者登録情報には、検索キー部である学習者コードと、ユーザーＩＤとパスワードとからなる検索キー部と、データ部に属する氏名、性別、生年月日、住所、電話番号、メールアドレス、職業、登録年月日などの情報を格納記憶する。
【００３０】
中古自動車テーブル２２は、価格査定の学習を行う中古自動車の登録情報を記録するものである。
中古車登録情報には、検索キー部である中古車コードと、データ部に属する型式、登録年月日などの情報を格納記憶する。
【００３１】
基本査定テーブル２３は、中古自動車の基本的な査定項目に関する基本査定情報を記録するものである。
基本査定情報には、中古車コードと査定項目とからなる検索キー部と、データ部に属する査定項目内容、基本査定結果、登録年月日などの情報を格納記憶する。
査定項目には、「型式」、「製造年」、「走行距離」、「装備品」等が設定される。
基本査定結果には、プラス、マイナス、ゼロの何れかの査定金額が設定される。
【００３２】
３Ｄ自動車画像テーブル２４は、中古自動車の車輌全体の３Ｄ画像と、外装と内装に瑕疵を含んだ３Ｄ画像の情報を記録するものである。
３Ｄ自動車画像情報には、中古車コードと画像区分と瑕疵の程度とからなる検索キー部と、データ部に属する３Ｄ画像、登録年月日などの情報を格納記憶する。
画像区分には、「車輌全体」、「外装」、「内装」、「タイヤ」等が設定される。
瑕疵の程度には、連番数字が設定されており、画像区分が「車輌全体」の場合は、ゼロが設定されている。
【００３３】
模範査定テーブル２５は、中古自動車の外装と内装とを含む査定項目毎の瑕疵について、その模範査定情報を記録するものである。
模範査定情報には、中古車コードと査定項目と瑕疵の程度と瑕疵の位置範囲とからなる検索キー部と、データ部に属する瑕疵コード、模範査定結果、模範査定結果の説明、登録年月日などの情報を格納記憶する。
査定項目には、「外装」、「内装」、「タイヤ」等が設定される。
瑕疵の程度には、連番数字が設定されている。
模範査定結果には、マイナス、又は、ゼロの査定金額が設定される。
【００３４】
学習者査定テーブル２６は、中古自動車の外装と内装とを含む査定項目毎の瑕疵について、学習者による査定とその査定を模範査定に基づいて採点した採点結果を含む学習者査定情報を記録するものである。
学習者査定情報には、学習者コードと査定項目と瑕疵の程度とからなる検索キー部と、データ部に属する中古車コード、採点結果、瑕疵の位置、査定結果、査定結果の説明、瑕疵の位置範囲、模範査定結果（基本査定結果）、模範査定結果の説明、登録年月日などの情報を格納記憶する。
査定項目には、「型式」、「製造年」、「走行距離」、「装備品」、「外装」、「内装」、「タイヤ」等が設定される。
瑕疵の程度には、連番数字が設定されている。
査定結果には、マイナスの査定金額が設定される。
【００３５】
査定順序テーブル２７は、情報を記録するものである。
査定順序情報には、中古車コードと査定順序とからなる検索キー部と、データ部に属する査定項目、画像区分、登録年月日などの情報を格納記憶する。
査定項目と画像区分には、何れかに空白が設定される。
査定項目には、「型式」、「製造年」、「走行距離」、「装備品」等が設定される。
画像区分には、「車輌全体」、「外装」、「内装」、「タイヤ」等が設定される。
【００３６】
次に、学習支援装置の処理手段３０が、インターネット２を介して学習端末装置１の要求信号に応答して、データベース２０の検索更新を行う処理手順について詳細に説明する。図２は本発明の学習支援装置に於ける処理手段３０の処理の流れ図であり、処理手段３０は以下の４手段から構成される。
【００３７】
すなわち、学習者基本査定登録手段３１と３Ｄ画像表示手段３２と学習者査定登録手段３３と成績状況検索手段３４と初級クラス学習手段３５とから構成される。
又、３Ｄ画像表示手段３２は、回転表示手段３２ａと拡大縮小表示手段３２ｂとを含み、学習者査定登録手段３３は、学習自動採点手段３３ａと模範査定表示手段３３ｂとを含む。
【００３８】
まず、学習端末装置１からのユーザーＩＤ、パスワードの入力を受け付けてユーザー認証を行い、使用権があればメニュー選択画面をその学習端末装置１に送信する。
【００３９】
学習者基本査定登録手段３１は、学習端末装置１からの指定した中古自動車に属する査定項目を画面上に表示し、その査定結果を含む学習者査定情報を入力してデータベース２０に登録する。
【００４０】
以下に学習者基本査定登録手段３１の処理手順を詳細に説明する。
（１）学習端末装置１からの要求信号に応答して、中古自動車テーブル２２を検索して中古車登録情報を取得する。
（２）取得した中古車登録情報に設定されている中古車コードと「車輌全体」を設定した画像区分とゼロを設定した瑕疵の程度より、３Ｄ自動車画像テーブル２４を検索して該当する中古車の３Ｄ自動車画像情報を取得する。
（３）取得した中古車の３Ｄ自動車画像情報一覧が編集されている学習者基本査定登録・中古車選択画面を学習端末装置１に送信する。
（４）学習端末装置１からの中古車の３Ｄ自動車画像情報の選択を受け付けて、選択した中古車の３Ｄ自動車画像情報に設定されている中古車コードより、基本査定テーブル２３を検索して該当する基本査定情報を取得する。
（５）取得した基本査定情報一覧が編集されている学習者基本査定登録・査定結果入力画面を学習端末装置１に送信する。
（６）学習端末装置１からの査定結果の入力を受け付けて、入力した査定結果と（４）の処理で取得した基本査定情報に設定されている基本査定結果とを照合する。
（７）照合結果が不一致の場合は、基本査定情報に設定されている基本査定結果が編集されている学習者基本査定登録・査定結果ＮＧ画面を学習端末装置１に送信し、照合結果が一致の場合は、学習者基本査定登録・査定結果ＯＫ画面を学習端末装置１に送信する。
（８）ユーザー認証時に入力したユーザーＩＤとパスワードより、学習者テーブル２１を検索して該当する学習者登録情報を取得する。
（９）（８）の処理で取得した学習者登録情報と（４）の処理で取得した基本査定情報と（６）の処理で入力した査定結果より、学習者査定情報を作成して学習者査定テーブル２６に登録する。
又、学習者査定情報に設定する採点結果には、以下の計算式で求めた採点結果を設定する。
（６）の処理で入力した査定結果≦（４）の処理で取得した基本査定情報に設定されている基本査定結果の場合は、採点結果＝（６）の処理で入力した査定結果／（４）の処理で取得した基本査定情報に設定されている基本査定結果＊１００
（６）の処理で入力した査定結果＞（４）の処理で取得した基本査定情報に設定されている基本査定結果の場合は、採点結果＝（４）の処理で取得した基本査定情報に設定されている基本査定結果／（６）の処理で入力した査定結果＊１００
【００４１】
３Ｄ画像表示手段３２は、学習端末装置１からの指定条件に基づいて、該当する３Ｄ自動車画像情報を検索し、その３Ｄ自動車画像情報の所定の部分とその表示方法とを指定して画面上に表示する。
【００４２】
又、表示方法の手段として、回転表示手段３２ａは、中古自動車の表示する部分について、回転方向と回転範囲とを指定して画面上に表示し、拡大縮小表示手段３２ｂは、拡大、又は、縮小する大きさを指定して画面上に表示する。
【００４３】
以下に３Ｄ画像表示手段３２の処理手順を詳細に説明する。
（１）学習者基本査定登録手段３１の（４）の処理で選択した中古車の３Ｄ自動車画像情報が編集されている３Ｄ画像表示・画像区分・表示方法選択画面を学習端末装置１に送信する。
（２）学習端末装置１からの画像区分と表示方法の選択を受け付けて、学習者基本査定登録手段３１の（４）の処理で選択した中古車の３Ｄ自動車画像情報に設定されている中古車コードと選択した画像区分と乱数発生関数により所定の数字範囲で発生させた数字より、３Ｄ自動車画像テーブル２４を検索して該当する３Ｄ自動車画像情報を取得する。
（３）（２）の処理で選択した表示方法が「回転表示」の場合は、回転表示手段３２ａの処理を行い、「拡大縮小表示」の場合は、拡大縮小表示手段３２ｂの処理を行う。
【００４４】
以下に回転表示手段３２ａの処理手順を詳細に説明する。
（１）３Ｄ画像表示手段３２の（２）の処理で取得した３Ｄ自動車画像情報が編集されている回転表示・回転方向・回転範囲指定画面を学習端末装置１に送信する。
（２）学習端末装置１からの３Ｄ画像の回転方向と回転範囲を受け付けて、３Ｄ画像を中心に指定した回転方向に指定した３６０度以内の回転範囲にその３Ｄ画像を回転させ、その３Ｄ画像が編集されている回転表示画面を学習端末装置１に送信する。
【００４５】
以下に拡大縮小表示手段３２ｂの処理手順を詳細に説明する。
（１）３Ｄ画像表示手段３２の（２）の処理で取得した３Ｄ自動車画像情報が編集されている拡大縮小表示・拡大縮小区分・拡大縮小部分・拡大縮小サイズ指定画面を学習端末装置１に送信する。
（２）学習端末装置１からの３Ｄ画像の拡大縮小区分と拡大縮小部分と拡大縮小サイズを受け付けて、指定した３Ｄ画像の部分を指定したサイズに拡大、又は、縮小させ、その３Ｄ画像が編集されている拡大縮小画面を学習端末装置１に送信する。
【００４６】
学習者査定登録手段３３は、３Ｄ画像表示手段３２で表示した部分について、その査定結果を含む学習者査定情報を入力してデータベース２０に登録する。
又、学習自動採点手段３３ａは、学習者査定登録手段３３で登録した学習者査定情報を模範査定情報に基づいて採点した採点結果を画面上に表示して、その採点結果を含む学習者査定情報をデータベース２０に登録する。
そして、模範査定表示手段３３ｂは、学習者査定登録手段３３で学習者査定情報が登録された際に、査定結果と模範査定結果とを照合し、その照合結果が異なる場合に、模範査定情報を画面上に表示する。
【００４７】
以下に学習者査定登録手段３３の処理手順を詳細に説明する。
（１）回転表示手段３２ａ、又は、拡大縮小表示手段３２ｂの（２）の処理で３Ｄ画像が編集されている学習者査定登録・瑕疵指定・査定結果入力画面を学習端末装置１に送信する。
（２）学習端末装置１から瑕疵の位置の指定とその瑕疵の査定結果と査定結果の説明の入力を受け付けて、３Ｄ画像表示手段３２の（２）の処理で取得した３Ｄ自動車画像情報に設定されている中古車コードと画像区分（査定項目）と瑕疵の程度と入力した瑕疵の位置より、模範査定テーブル２５を検索して該当する模範査定情報を取得する。
【００４８】
次に学習自動採点手段３３ａの処理手順を詳細に説明する。
（３）（２）の処理で入力した査定結果≦（２）の処理で取得した模範査定情報に設定されている模範査定結果の場合は、以下の計算式により採点結果を絶対値にて求める。
採点結果＝（２）の処理で入力した査定結果／（２）の処理で取得した模範査定情報に設定されている模範査定結果＊１００
（４）（２）の処理で入力した査定結果＞（２）の処理で取得した模範査定情報に設定されている模範査定結果の場合は、以下の計算式により採点結果を絶対値にて求める。
採点結果＝（２）の処理で取得した模範査定情報に設定されている模範査定結果／（２）の処理で入力した査定結果＊１００
【００４９】
次に模範査定表示手段３３ｂの処理手順を詳細に説明する。
（５）（２）の処理で入力した入力した査定結果と（２）の処理で取得した模範査定情報に設定されている模範査定結果とを照合する。
（６）照合結果が不一致の場合は、（２）の処理で入力した査定結果と査定結果の説明と（２）の処理で取得した模範査定情報に設定されている模範査定結果と模範査定結果の説明と（３）〜（４）の処理で求めた採点結果が編集されている学習者査定登録・査定結果ＮＧ画面を学習端末装置１に送信し、照合結果が一致の場合は、学習者査定登録・査定結果ＯＫ画面を学習端末装置１に送信する。
（７）ユーザー認証時に入力したユーザーＩＤとパスワードより、学習者テーブル２１を検索して該当する学習者登録情報を取得する。
（８）取得した学習者登録情報と（２）の処理で取得した模範査定情報と（２）の処理で入力した瑕疵の位置と査定結果と査定結果の説明より、学習者査定情報を作成して学習者査定テーブル２６に登録する。
【００５０】
成績状況検索手段３４は、学習端末装置１からの指定条件に基づいて、その学習者に属する学習者査定報を査定項目毎にデータベース２０より検索する。
【００５１】
以下に成績状況検索手段３４の処理手順を詳細に説明する。
（１）学習端末装置１からの要求信号に応答して、ユーザー認証時に入力したユーザーＩＤとパスワードより、学習者テーブル２１を検索して該当する学習者登録情報を取得する。
（２）取得した学習者登録情報に設定されている学習者コードより、学習者査定テーブル２６を検索して該当する学習者査定情報を取得する。
（３）取得した学習者査定情報に設定されている採点結果を分類キーとして、学習者査定情報を昇順に分類する。
（４）分類した学習者査定情報一覧が編集されている成績状況検索画面を学習端末装置１に送信する。
【００５２】
初級クラス学習手段３５は、学習端末装置１からの指定条件に基づいて、査定順序情報を検索し、査定順序に基づいて、学習者基本査定登録手段３１と３Ｄ画像表示手段３２とを実施する。
【００５３】
以下に初級クラス学習手段３５の処理手順を詳細に説明する。
（１）学習端末装置１からの要求信号に応答して、中古自動車テーブル２２を検索して中古車登録情報を取得する。
（２）取得した中古車登録情報に設定されている中古車コードと「車輌全体」を設定した画像区分とゼロを設定した瑕疵の程度より、３Ｄ自動車画像テーブル２４を検索して該当する中古車の３Ｄ自動車画像情報を取得する。
（３）取得した中古車の３Ｄ自動車画像情報一覧が編集されている初級クラス学習・中古車選択画面を学習端末装置１に送信する。
（４）学習端末装置１からの中古車の３Ｄ自動車画像情報の選択を受け付けて、選択した中古車の３Ｄ自動車画像情報に設定されている中古車コードより、査定順序テーブル２７を検索して査定順序情報を取得する。
（５）取得した査定順序情報に設定されている画像区分が空白の場合は、（６）〜（１０）の処理を行い、査定項目が空白の場合は、（１１）〜（１２）の処理を行う。
【００５４】
（６）取得した査定順序情報に設定されている中古車コードと査定項目より、基本査定テーブル２３を検索して該当する基本査定情報を取得して、取得した基本査定情報が編集されている初級クラス学習・査定結果入力画面を学習端末装置１に送信する。
（７）学習端末装置１からの査定結果の入力を受け付けて、入力した査定結果と取得した基本査定情報に設定されている基本査定結果とを照合する。
（８）照合結果が不一致の場合は、基本査定情報に設定されている基本査定結果が編集されている初級クラス学習・査定結果ＮＧ画面を学習端末装置１に送信し、照合結果が一致の場合は、初級クラス学習・査定結果ＯＫ画面を学習端末装置１に送信する。
（９）ユーザー認証時に入力したユーザーＩＤとパスワードより、学習者テーブル２１を検索して該当する学習者登録情報を取得する。
（１０）取得した学習者登録情報と（６）の処理で取得した基本査定情報と（７）の処理で入力した査定結果より、学習者査定情報を作成して学習者査定テーブル２６に登録する。
又、学習者査定情報に設定する採点結果には、以下の計算式で求めた採点結果を設定する。
（７）の処理で入力した査定結果≦（６）の処理で取得した基本査定情報に設定されている基本査定結果の場合は、採点結果＝（７）の処理で入力した査定結果／（６）の処理で取得した基本査定情報に設定されている基本査定結果＊１００
（７）の処理で入力した査定結果＞（６）の処理で取得した基本査定情報に設定されている基本査定結果の場合は、採点結果＝（６）の処理で取得した基本査定情報に設定されている基本査定結果／（７）の処理で入力した査定結果＊１００
【００５５】
（１１）取得した査定順序情報に設定されている中古車コードと画像区分と乱数発生関数により所定の数字範囲で発生させた数字より、３Ｄ自動車画像テーブル２４を検索して該当する３Ｄ自動車画像情報を取得して、取得した３Ｄ自動車画像情報が編集されている初級クラス学習・表示方法選択画面を学習端末装置１に送信する。
（１２）学習端末装置１からの表示方法の選択を受け付けて、選択した表示方法が「回転表示」の場合は、回転表示手段３２ａと同様の処理を行い、「拡大縮小表示」の場合は、拡大縮小表示手段３２ｂと同様の処理を行う。
【００５６】
又、中古自動車の価格査定学習支援システムに使用される記録媒体の実施の形態については、中古自動車の価格査定学習支援システムに於ける実施の形態で記載したデータベースが構成する各情報と処理手段が構成する各プログラムがＣＤ等の記録媒体にて学習者に提供され、学習者は、これらの情報とプログラムをパソコン等の端末装置にインストール後、各プログラムを実行して学習する。
【００５７】
以上、本発明の一実施の形態を詳細に説明したが、本発明は、本実施の形態に限られるものではない。本発明の技術的範囲から逸脱しない範囲内で多様に変更実施することが可能である。
【００５８】
【発明の効果】
以上に説明したように、本発明の中古自動車の価格査定学習支援システムによれば、学習者は、熟練した査定指導員にマンツーマンで指導を受けているのと同等な価格査定学習を受けることができ、繰り返して学習を行う必要のある苦手な査定項目を特定することができる。
又、本発明の中古自動車の価格査定学習支援システムに使用される記録媒体よれば、学習者は、その記録媒体より所有するパソコンに本発明の中古自動車の価格査定学習システムに使用されるデータやプログラムをインストールして学習することができる。
【図面の簡単な説明】
【図１】本発明の中古自動車の価格査定学習支援システムに於けるシステム構成を示す模式図である。
【図２】本発明の学習支援装置に於ける処理手段の処理の流れ図である。
【符号の説明】
１　学習端末装置
２　インターネット
１０　学習支援装置
１１　Ｗｅｂサーバー
１２　データベースサーバー
１３　アプリケーションサーバー
２０　データベース
２１　学習者テーブル
２２　中古自動車テーブル
２３　基本査定テーブル
２４　３Ｄ自動車画像テーブル
２５　模範査定テーブル
２６　学習者査定テーブル
２７　査定順序テーブル
３０　処理手段
３１　学習者基本査定登録手段
３２　３Ｄ画像表示手段
３２ａ　回転表示手段
３２ｂ　拡大縮小表示手段
３３　学習者査定登録手段
３３ａ　学習自動採点手段
３３ｂ　模範査定表示手段
３４　成績状況検索手段
３５　初級クラス学習手段
１００　中古自動車の価格査定学習支援システム
【図１】
2004125982.tif 000003
【図２】
2004125982.tif 000004